(57)【特許請求の範囲】
【請求項１】
外枠と，該外枠に対して開閉自在に設けられた内枠と，該内枠に配設された遊技盤と，上記内枠の前面に開閉自在に設けられた前面扉とを有するパチンコ遊技機において，
上記内枠には，上記外枠と上記内枠とを閉じた状態又は上記内枠と上記前面扉とを閉じた状態のロック及び解除を行うための上フック機構部及び下フック機構部が設けてあり，
上記遊技盤の一部は，上記上フック機構部及び下フック機構部における内側端を結んだ線上よりも外側に配置してあり，
上記上フック機構部は，上記遊技盤の一方の側端部における上端面に対向する位置に設けてあり，上記下フック機構部は，上記遊技盤の一方の側端部における下端面に対向する位置に設けてあることを特徴とするパチンコ遊技機。
【請求項２】
請求項１において，上記遊技盤は，その一方の側端部における側端上部を切り欠いてなり，上記上フック機構部は，上記側端上部の部分に配置してあることを特徴とするパチンコ遊技機。
【請求項３】
請求項１又は２において，上記上フック機構部と下フック機構部とは，互いに分離した状態で上記内枠に設けてあると共に，それぞれ上記外枠又は上記前面扉に設けられた係合部に係合可能なフックと，該フックを移動可能に支持するベース部とを有しており，
上記遊技盤の一部は，上記上フック機構部における上記ベース部の内側端と上記下フック機構部における上記ベース部の内側端とを結んだ線上よりも外側に配置してあることを特徴とするパチンコ遊技機。
【請求項４】
請求項１〜３のいずれか一項において，上記上フック機構部及び下フック機構部は，連結部によって繋がれて連動するよう構成されていることを特徴とするパチンコ遊技機。
【発明の詳細な説明】
【０００１】
【技術分野】
本発明は，外枠と，該外枠に対して開閉自在に設けられた内枠と，該内枠に配設された遊技盤と，上記内枠の前面に開閉自在に設けられた前面扉とを有するパチンコ遊技機に関する。
【０００２】
【従来技術】
パチンコ遊技機は，外枠と，該外枠に対して開閉自在に設けられた内枠と，該内枠に配設された遊技盤と，上記内枠の前面に開閉自在に設けられた前面扉とを有して構成されている。
図５に示すごとく，上記内枠９３には，上記外枠と上記内枠９３とを閉じた状態又は上記内枠９３と上記前面扉とを閉じた状態のロック及び解除を行うためのフック機構部９６が設けてある。
近年，パチンコ遊技機９の遊技機能が発達するに伴い，上記遊技盤９４を大きくする要望がある。
【０００３】
【解決しようとする課題】
上述のごとく，上記内枠９３には，上記ロック及び解除を行うためのフック機構部９６が設けられている。このフック機構部９６としては，上下２つのフック９６１を断面Ｌ字状の金具よりなる１つのベース部９６２に搭載して一体的に構成したものを用いる。そして，上記遊技盤９４は上記内枠９３に配置してあり，上記フック機構部９６はこの内枠９３に配置してある。そのため，フック機構部９６が内枠９３の一部のスペースを占有してしまい，このフック機構部９６が占める部分には遊技盤９４を配置することができない。それ故，フック機構部９６により，遊技盤９４の大きさが制限されてしまい，遊技盤９４を拡大することが困難になっている。
【０００４】
本発明は，かかる従来の問題点に鑑みてなされたもので，遊技盤を大きくすることができ，遊技盤の遊技範囲を拡大することができるパチンコ遊技機を提供しようとするものである。
【０００５】
【課題の解決手段】
本発明は，外枠と，該外枠に対して開閉自在に設けられた内枠と，該内枠に配設された遊技盤と，上記内枠の前面に開閉自在に設けられた前面扉とを有するパチンコ遊技機において，
上記内枠には，上記外枠と上記内枠とを閉じた状態又は上記内枠と上記前面扉とを閉じた状態のロック及び解除を行うための上フック機構部及び下フック機構部が設けてあり，
上記遊技盤の一部は，上記上フック機構部及び下フック機構部における内側端を結んだ線上よりも外側に配置してあり，
上記上フック機構部は，上記遊技盤の一方の側端部における上端面に対向する位置に設けてあり，上記下フック機構部は，上記遊技盤の一方の側端部における下端面に対向する位置に設けてあることを特徴とするパチンコ遊技機にある（請求項１）。
【０００６】
次に，本発明の作用効果につき説明する。
本発明においては，上記外枠と上記内枠とを閉じた状態又は上記内枠と上記前面扉とを閉じた状態のロック及び解除を行うフック機構部が，上フック機構部と下フック機構部とに分離して設けてある。
そのため，上フック機構部と下フック機構部との間に，有効なスペースを形成することができる。そして，このスペース，即ち，上フック機構部及び下フック機構部における内側端を結んだ線上よりも外側の部分には，上記遊技盤の一部を配置することができる。
それ故，上記スペースを利用して遊技盤を設けることができるため，遊技盤を大きくすることができ，遊技盤の遊技範囲を拡大することができる。
【０００７】
【発明の実施の形態】
上述した本発明における好ましい実施の形態につき説明する。
本発明（請求項１）において，上記遊技盤は，上記上フック機構部と下フック機構部との間に遊技盤の一側端部のうち一部が突出して配置されるような形状とすることができるし，上記一側端部の全体が上記上フック機構部と下フック機構部との間に配置されるように，遊技盤全体の幅を大きくした形状のものを用いることもできる。
また，上記上フック機構部及び下フック機構部における内側端とは，上記フックを有する機構部のうち最も内側に位置する端部のことをいう。
【０００８】
上記上フック機構部と下フック機構部とは，互いに分離した状態で上記内枠に設けてあると共に，それぞれ上記外枠又は上記前面扉に設けられた係合部に係合可能なフックと，該フックを移動可能に支持するベース部とを有しており，上記遊技盤の一部は，上記上フック機構部における上記ベース部の内側端と上記下フック機構部における上記ベース部の内側端とを結んだ線上よりも外側に配置してあることが好ましい（請求項３）。
【０００９】
この場合，上記ベース部を上記内枠に固定し，このベース部に対して上記フックを移動させることにより，上記外枠と上記内枠とを閉じた状態又は上記内枠と上記前面扉とを閉じた状態のロック及び解除を行うことができる。
また，上記ベース部に対するフックの移動は，ベース部に対してフックを回転させて行ってもよく，ベース部に対してフックを往復移動させるようにスライドさせて行ってもよい。
【００１０】
また，上記上フック機構部及び下フック機構部は，連結部によって繋がれて連動するよう構成されていることが好ましい（請求項４）。この場合，上記上フック機構部又は下フック機構部のいずれか一方を駆動することにより，他方のフック機構部の上記ロック及び解除を行うことができる。そのため，このロック及び解除を容易かつ効率的に行うことができる。
【００１１】
また，上記連結部はワイヤよりなることが好ましい。この場合，上記上フック機構部及び下フック機構部のロック及び解除の連動動作は，上フック機構部又は下フック機構部の一方より，他方を上記ワイヤを介して引っ張ることにより行うことができる。そのため，上記ロック及び解除を容易かつ効率的に行うことができる。
【００１２】
また，上記連結部はアームよりなることもできる。この場合，上記上フック機構部及び下フック機構部のロック及び解除の連動動作は，上フック機構部又は下フック機構部の一方より，他方を上記アームを介して押す又は引っ張ることにより行うことができる。そのため，上記ロック及び解除を容易かつ効率的に行うことができる。
【００１３】
また，上記上フック機構部及び下フック機構部における上記フックの移動は，電動手段により行うことが好ましい。この場合，上記ロック及び解除の操作性が良好になる。
【００１４】
【実施例】
以下に，図面を用いて本発明の実施例につき説明する。
（実施例１）
図１，図２に示すごとく，本例におけるパチンコ遊技機１は，外枠２と，該外枠２に対して開閉自在に設けられた内枠３と，該内枠３に配設された遊技盤４と，上記内枠３の前面に開閉自在に設けられた前面扉５とを有する。
上記内枠３には，上記外枠２と上記内枠３とを閉じた状態のロック及び解除，並びに上記内枠３と上記前面扉５とを閉じた状態のロック及び解除を行うためのフック機構部が，上フック機構部６１と下フック機構部６２とに分離して設けてある。
また，上記遊技盤４の一部である一方の側端部４１は，上フック機構部６１における内側端６１０及び下フック機構部６２における内側端６２０を結んだ線上よりも外側に配置してある。
【００１５】
以下に，これを詳説する。
図１，図２に示すごとく，上記上フック機構部６１及び下フック機構部６２は，それぞれ上記前面扉５の上下に設けられた上係合部５１，下係合部５２に係合可能な上フック６１１，下フック６２１と，該上フック６１１，下フック６２１を移動可能に支持する上ベース部６１２，下ベース部６２２とを有している。
上記上フック６１１と下フック６２１のそれぞれには，それらを互いに連結するための上連結部材６１３，下連結部材６２３が取り付けてあり，これらの間は連結部６３であるワイヤーによって繋がれている。
【００１６】
また，詳細な図示は省略するが，上フック機構部６１の上ベース部６１２，及び下フック機構部６２の下ベース部６２２には，それぞれ上記外枠２の上下に設けられた上係合部，下係合部に係合可能な上フック，下フックも取り付けてある。また，この上フック，下フックには，それぞれ上連結部材，下連結部材が取り付けてあり，連結部６３により繋がれている。
【００１７】
上記内枠３には，上記ロック及び解除の駆動部となるキーシリンダー６４が設けてある。このキーシリンダー６４には，キーを挿入するキー穴が設けてあり，本例においては，キーがセンターの位置にあるときは，上記内枠３と前面扉５とを閉じた状態のロックと，上記外枠２と内枠３とを閉じた状態のロックとを行っている。
【００１８】
そして，上記キーを一方側に回すと，図３に示すごとく，上記キーシリンダー６４の第１カム６４１が回転して上記下連結部材６２３を移動させると共に下フック６２１を回転させる。また，このとき，上記連結部６３により上記上連結部材６１３が下方に引っ張られると共に上フック６１１が回転して，上記内枠３と前面扉５とを閉じた状態の解除を行う。そして，前面扉５を内枠３に対して開けることができる。
一方，キーを反対側に回すと，上記と同様にして，上記キーシリンダー６４の第２カム６４２が回転して，外枠２と内枠３とを閉じた状態の解除を行い，内枠３を外枠２に対して開けることができる。
【００１９】
なお，本例においては，上記上ベース部６１２及び下ベース部６２２に対する上フック６１１及び下フック６２１のそれぞれの移動は回転により行った。これに対し，この移動は，上ベース部６１２及び下ベース部６２２に対して，それぞれ上フック６１１及び下フック６２１を往復移動させるようにスライドさせて行ってもよい。
【００２０】
また，上記上フック機構部６１及び下フック機構部６２には，上記上フック６１１，下フック６２１を上記前面扉５に設けた上係合部５１，下係合部５２にそれぞれロックさせるバネ等の反発部材を設けておくことができる。これにより，内枠３と前面扉５とを閉じた状態にして，再びロックさせることができる。
また，上記反発部材は，上記外枠２に設けた上係合部，下係合部に上フック，下フックをロックさせる場合にも同様に用いることができ，外枠２と内枠３とを閉じた状態にして，再びロックさせることができる。
【００２１】
なお，上記上フック機構部６１及び下フック機構部６２における上記上フック６１１及び下フック６２１の移動は，上記キーシリンダー６４に連動した電動手段により行うこともできる。また，この場合，上記連結部６３を用いず，上フック機構部６１と下フック機構部６２とに各々独立した電動手段を設けて，上フック６１１及び下フック６２１の移動を各々行ってもよい。
【００２２】
このように，本例においては，上記フック機構部が，上フック機構部６１と下フック機構部６２とに分割して設けてある。そのため，上フック機構部６１と下フック機構部６２との間に，有効なスペースを形成することができる。そして，このスペース，即ち，上フック機構部６１における内側端６１０と下フック機構部６２における内側端６２０とを結んだ線上よりも外側の部分には，上記遊技盤４の一方の側端部４１を配置することができる。
【００２３】
また，本例においては，具体的には，上記遊技盤４は，その一方の側端部４１のうち側端上部４２を切り欠いて上フック機構部６１と遊技盤４とが干渉することを避けた。そして，上記側端上部４２の部分に上フック機構部６１を配置して，上記有効なスペースを生かすことができた。
それ故，遊技盤４を上記側端部４１の方向に拡大して大きくすることができ，遊技盤４の遊技範囲を拡大することができる。
【００２４】
（実施例２）
本例は，図４に示すごとく，上記連結部６３にワイヤーを用いる代わりにアームを用いた例である。このアームは平板を加工して形成されており，遊技盤４の一方の側端部４１を配置することができるスペースを残して設けられている。
また，このアームによれば，上記上フック機構部６１と下フック機構部６２とにおけるロック及び解除の連動動作は，上フック機構部６１又は下フック機構部６２の一方より，他方を上記アームを介して押す又は引っ張ることにより行うことができる。その他は上記実施例１と同様である。
【００２５】
本例においても，上フック機構部６１における内側端６１０と下フック機構部６２における内側端６２０とを結んだ線上よりも外側の部分に上記遊技盤４の一方の側端部４１を配置することができる。そのため，遊技盤４を上記側端部４１の方向に拡大して大きくすることができ，遊技盤４の遊技範囲を拡大することができる。
その他，上記実施例１と同様の作用効果を得ることができる。
【図面の簡単な説明】
【図１】実施例１における，パチンコ遊技機の内枠への上フック機構部及び下フック機構部の配置を示す正面図。
【図２】実施例１における，パチンコ遊技機の内枠への上フック機構部及び下フック機構部の配置を示す図で，内枠と前面扉とを閉じた状態を示す側面説明図。
【図３】実施例１における，パチンコ遊技機の内枠への上フック機構部及び下フック機構部の配置を示す図で，内枠と前面扉とを開けた状態を示す側面説明図。
【図４】実施例２における，パチンコ遊技機の内枠への上フック機構部及び下フック機構部の配置を示す正面図。
【図５】従来例における，パチンコ遊技機の内枠へのフック機構部の配置を示す正面図。
【符号の説明】
１．．．パチンコ遊技機，
２．．．外枠，
３．．．内枠，
４．．．遊技盤，
５．．．前面扉，
６１．．．上フック機構部，
６１０．．．内側端，
６２．．．下フック機構部，
６２０．．．内側端，
６３．．．連結部，
６１１．．．上フック，
６２１．．．下フック，
６１２．．．上ベース部，
６２２．．．下ベース部，
【図１】
0004523197.tif 000002
【図２】
0004523197.tif 000003
【図３】
0004523197.tif 000004
【図４】
0004523197.tif 000005
【図５】
0004523197.tif 000006